(57)【要約】【課題】コードの断線の心配が少なく、コードの収納スペースが小さく、かさばらず、コードを簡単に収納できる電子機器の提供。【解決手段】電子機器のコードの取り出し部分が曲面を有し、コードを巻きつけるための凹み部を持ち、コード先端に取り付けたコネクタ収納部及び／又はプラグ収納部を持っている電子機器に伸縮性を有するコードを用いることで、断線しにくくコンパクトに収納でき、かつコードの収納が簡単にできるコード付き電子機器。【選択図】図１
2018061092.tif 000002
【特許請求の範囲】
【請求項１】
伸縮性を有するコード付きの電子機器であって、前記コードを巻きつけるための凹み部を持ち、かつ、前記凹み部の中に前記コードの取り出し部分があり、さらに前記コード取り出し部が、巻きつける方向に沿って曲面が施されており、そして前記コード先端のコネクタ部又はプラグ部が収納される凹み部を持つことを特徴とするコード付電子機器。
【請求項２】
前記コードの伸縮性が、１０％以上である、請求項１に記載のコード付電子機器。
【請求項３】
前記電子機器からの前記コード取り出し部の曲面が、曲率半径Ｒ＞１ｍｍである、請求項１又は２に記載のコード付電子機器。
【請求項４】
前記コード取り出し部が、前記コードの巻きつけ方向に対して斜めになっており、かつ、前記コードを巻き付けやすい方向が決まっている、請求項１〜３のいずれか一項に記載のコード付電子機器。
【請求項５】
前記コネクタ部又はプラグ部の収納部が、前記コード巻き付け方向の直近の角部から１０ｍｍ以上離れている、請求項４に記載のコード付電子機器。
【請求項６】
前記コードを巻き付けた時の最外周の長さをＬ１としたときに、コード取り出し部からコード先端のコネクタ部又はプラグ部までのコードの長さが、自然長Ｌ（Ｌ：コードを伸縮させずに巻きつけた時にコネクタ部又はプラグ部が、コネクタ収納部又はプラグ収納部にコードの伸縮が起こらずに丁度収まる時のコード取り出し部からコネクタ部またはプラグ部の根元部までの長さ）
よりＬ１×０．０５からＬ×伸縮電線の最大伸長率（％）／１００×０．８だけ短い、請求項１〜５のいずれか一項に記載のコード付電子機器。
【発明の詳細な説明】
【技術分野】
【０００１】
本発明は、コード付電子機器に関するものである。
【背景技術】
【０００２】
ここで言う電子機器とは、電力または信号を入出力するためにコードがついている機器を言う。代表的なものを列記すれば、ＡＣアダプター、マウス、外付けＤＶＤプレーヤ等を含むパソコンやスマホ周辺機器から、イヤフォン、ヘッドマウンントデスプレイ、インカム、等の通信や音響機器、さらには、へアドライヤーなどの家電や、電動工具等がある。
これらの機器は、持ち運びする時コードが邪魔で、収納に手間取ったり、コード収納容積が大きくなり荷物がかさばったり、「折れ」や「挟まれ」が発生し断線するという課題があった。
これらを解決するために、例えば特許文献１には、コードを巻きつけることができる弾性体で覆った充電装置に関する技術が開示されている。また特許文献２には、携帯電話用ＡＣアダプターとしてコードを巻きつける部位を備え、ケーブルとコネクタを一体として収納する技術が開示されている。しかし、本発明者らの知見によると、特許文献１の技術は、ブーツ部が飛び出しコンパクト収納し難いという課題があり、特許文献２の技術では、コネクタをケースに収納させるためにコードの長さに余裕が必要となりケーブルが収納しづらいという課題があった。また、使用時にコードが様々な方向に引っ張られ、断線しやすいという課題があった。
【０００３】
近年、電子機器の小型化により、ＰＣ、,  携帯電話、タブレット、スマホ等の様々な電子機器を持ち運ぶケースが増えている。この時、充電のためのＡＣアダプターや充電用のバッテリー、これらをつなぐケーブルを一緒に持ち歩くことが多い。電子機器本体の小型化に比べ、コードが進化しておらず、「コードのかさばりを減らしたい。」、「収納が簡単にできるようにしたい。」というニーズは強いものがある。
【先行技術文献】
【特許文献】
【０００４】
【特許文献１】特開２００３−０４０５３３号公報
【特許文献２】実用新案登録第３１４２９７９号公報
【発明の概要】
【発明が解決しようとする課題】
【０００５】
本発明の目的は、電子機器のコードの断線の心配が少なく、コードの収納スペースが小さく、かさばらず、コードを簡単に収納できる電子機器を提供することである。
【課題を解決するための手段】
【０００６】
本発明者等は、電子機器のコードの取り出し部分が曲面を有し、コードを巻きつけるための凹み部を持ち、コード先端に取り付けたコネクタ収納部及び／又は電源プラグ収納部を持っている電子機器に伸縮性を有するコードを用いることで、断線し難くコンパクトに収納でき、かつコードの収納が簡単にできるコード付き電子機器を実現することに成功したものである。
【０００７】
すなわち、本発明は下記の発明を提供する。
（１）伸縮性を有するコード付きの電子機器であって、前記コードを巻きつけるための凹み部を持ち、かつ、前記凹み部の中に前記コードの取り出し部分があり、さらに前記コード取り出し部が、巻きつける方向に曲面を有しており、そして前記コード先端のコネクタ部又はプラグ部が収納される凹み部を持つことを特徴とするコード付電子機器。
（２）前記コードの伸縮性が、１０％以上である、請求項１に記載のコード付電子機器。
（３）前記電子機器からの前記コード取り出し部の曲面が、曲率半径Ｒ＞１ｍｍである（１）又は（２）に記載のコード付電子機器。
（４）前記コード取り出し部が、前記コードの巻きつけ方向に対して斜めになっており、かつ前記コードを巻き付けやすい方向が決まっている、（１）〜（３）のいずれか一項に記載のコード付電子機器。
（５）前記コネクタ部又はプラグ部の収納部が、前記コード巻き付け方向の直近の角部から１０ｍｍ以上離れている、（４）に記載のコード付電子機器。
（６）前記コードを巻き付けた時の最外周の長さをＬ１としたときに、コード取り出し部からコード先端のコネクタ部又はプラグ部までのコードの長さが、自然長Ｌ（Ｌ：コードを伸縮させずに巻きつけた時にコネクタ部又はプラグ部が、コネクタ収納部又はプラグ収納部にコードの伸縮が起こらずに丁度収まる時のコード取り出し部からコネクタ部またはプラグ部の根元部までの長さ）、
よりＬ１×０．０５からＬ×伸縮電線の最大伸長率（％）／１００×０．８だけ短い、（１）〜（５）のいずれか一項に記載のコード付電子機器。
【発明の効果】
【０００８】
本発明のコード付電子機器は、断線し難く、コンパクトに収納でき、コードの収納が簡単な電子機器を提供するものである。
【図面の簡単な説明】
【０００９】
【図１】スマホ・携帯用のアダプター(小型）の例を示す図である。
【図２】ＰＣ用のＡＣアダプター(大型）の例を示す図である。
【図３】スティックタイプのＡＣアダプターの例を示す図である。
【図４】本発明に係るコードの最外周の長さを示した図である。
【発明を実施するための形態】
【００１０】
本発明について、以下具体的に説明する。
【００１１】
本発明でいう電子機器は、コードの取り出し部分が曲面を有し、コードを巻きつけるための凹み部を持ち、コード先端に取り付けたコネクタ収納部及び／又は電源プラグ収納部を持っており、伸縮性のあるコードが付いた電子機器である。
【００１２】
コードの取り出し部は、曲面をもっていることが重要である。鋭角な部分があると繰り返しの巻きつけ、解き作業の時に断線しやすくなる。局面の曲率半径Ｒは１ｍｍ以上、より好ましくは５ｍｍ以上、さらに好ましくは１０ｍｍ以上である。なお、そのＲは、巻きつけ部の左右で大きさが異なっても良い。コードを斜めに取り出し、その傾いた方向に巻きつけることで、大きな曲面を得られやすくなり、巻きつけ時に発生する曲げ疲労を抑えることができる。この時、他の面のＲは角あたりしないように鋭角な面が無いようにすることが重要である。好ましくはＲが１ｍｍ以上である。
【００１３】
コードの巻きつけ部は、凹んでいることが重要である。一例として図１（２）の符号２として示した。
又、巻きつけ部は、丸型でも、長方形でも、多角形でも良いが、鋭角に巻きつけると断線しやすくなるので、角部は丸みを帯びていることが重要である。丸みは、Ｒ＞１ｍｍが好ましく、Ｒ＞５ｍｍ、さらに好ましくはＲ＞１０ｍｍが推奨される。
【００１４】
本発明のコード付き電子機器は、コネクタ収納部又は／及び電源プラグ収納部をもっていることが重要である。
コネクタ収納部又は電源プラグ収納部が無いと、コードを巻き付けてもほどけてしまうので、マジックテープ（登録商標）等を用いて、コードやコネクタ部を固定しなければならなくなり、簡単な収納を実現できない。
コネクタ収納部又は電源プラグ収納部は、コード巻き付け方向の、直近の角部から１０ｍｍ以上離れていることが重要である。角部に近いと、収納しずらく、収納時にコネクタ部の根元を曲げることが多くなり断線しやすくなる。
【００１５】
本実施形態におけるコード付き電子機器には、上記のコネクタ以外に、電源プラグが設けられていることが好ましい。電源プラグは電子機器本体に付属する場合(図１)と、コードを介して付属する場合(図２)がある。例えば電子機器がＡＣアダプターの場合、アダプター本体の発熱が大きいものは、電源プラグはコードを介して使用されることが多い。
まず、電源プラグが電子機器本体に付属している例を図１又は図３に示したが、電源プラグを収納している状態に対して９０°回転させて使用できるものや、９０°と１８０°回転させて使用できるようにすることで、隣接する電源プラグ差し込み口に他のプラグがささっていても、電源プラグを差し込み口に差し込むやすくなる。
また、隣接する電源プラグの差込口との干渉を少なくするため、電源プラグは電子機器の側面から離れていない方がよく、その距離は１３ｍｍ以内が推奨される。より好ましくは１０ｍｍ以内である。また、両側との距離が１０ｍｍ以内になるようプラグを配置した形状は、隣接する電源プラグ差し込み口への干渉が少なくなり特に好ましい。尚、電源プラグの電子機器の側面に近い面からの距離を示す例を図１（３）の符号３として示してある。
電源プラグは図２に示すように、電源プラグが収納できるものであってもよい。
電源プラグがコードを介して付属している場合は、図２に示すように、本体の上面側に電源プラグ用コードを巻きつけ、下面側にコネクタ側のコードを巻きつけるようにすることで、コードが収納でき、すっきりとしたコード付電子機器を得ることができる。
この場合、巻きつけ方向は特に制限はないが、各々逆方向にしておくことで、本体を持ちながらコードを巻きつける方向が同じになり使いやすい。
【００１６】
本発明で用いるコードは伸縮することが必須である。
伸縮しないと巻きつけたときに長さ調整しにくいので、コネクタ部が収納予定箇所にピタリとはまりにくくなる。
具体的には、伸縮性の無いコードを用いると巻きつけ後にコネクタ位置に合うようにコネクタを取り付けても多層にコード巻き付けると、コードの巻き付け時の長さが多少変化するので、コネクタ収納部にコネクタ部が届かずに巻き直しが必要になったり、コネクタ収納部を超えてしまいコードが浮き上がってしまう。
これらの課題を伸縮性のあるコードを用いることで解決できる。
特に、伸縮性のあるコードを取り付けるときは、コードを巻き付けた時の最外周のコードの長さをＬ１（測定方法は後述）としたときに、コード取り出し部からコード先端のコネクタ部又はプラグ部までのコードの長さが、自然長Ｌ（コードを伸縮させずにコードを巻きつけた時にコネクタ部又はプラグ部が、コネクタ収納部又はプラグ収納部に丁度収まる長さ）よりＬ１×５（％）以上短くすることで、巻きつけ時に長くなりすぎてコネクタ部を超えてしまうことを防ぐことができる。一方短くしすぎるとコネクタ収納部までコネクタが届かないので、Ｌ×当該伸縮電線の最大伸長率（５００ｇ荷重伸長率（％）／１００×０．８）までの長さに調整することが好ましい。Ｌ１×伸縮電線コードの最大伸長までの範囲にすると、自然に巻きつけて最外周のみで長さ調整できるので取り扱い易い。尚、５００ｇ荷重伸長率の測定方法については後述する。
本発明で用いる伸縮電線の伸縮率は５００ｇの荷重をかけた時に１０％以上伸び、荷重を取り外すと１０％未満に回復するものが推奨される。もちろんよく伸び、良く縮むものが好ましく、伸びは２０％以上、さらに好ましくは３０％以上伸びるものである。また、荷重を取り外した時に１０％未満に回復するものが好ましく、より好ましくは５％未まで回復するものである。
【００１７】
コード取り出し部への固定の仕方。
伸縮性のコードは、伸びると外径が細くなるので、コード取り出し部で、抜けないようにしておくことが重要である。
コード取り出し部を樹脂で固めてもよいし、接着剤で止めてもよい。
繰り返し伸―縮で樹脂や接着剤との界面で剥離し、コードが抜けやすくなるので、コードに結び目を作っておいてもいし、コード部を針金や、タコ糸などでしばってもよいし、インシュロックで締め付けておいていてもよい。  またカシメ工具を用いて、金属スリーブでカシメておいてもよい。金属でカシメたり、針金やインシュロックで締め付けると、コードが傷むことがあるので、これらとコードの間にゴムチューブや熱収縮チューブを介在させるとダメージを軽減できる。
【００１８】
本発明で用いるコードは、コンセントから受電する側、所謂一時側であっても、変換後の2次側であっても、その両方であってもよい。また、信号をやりとりするコードであってもであってもよい。
【００１９】
伸縮性のあるコードは、公知の方法を用いて得ることができる。
代表的な方法は、伸縮性のある芯材の周囲に導体線をらせん状に捲回する方法がある。芯材を伸長した状態で導体線を捲回し弛緩させると伸縮性の良い伸縮性のあるコードを得ることができる。
【００２０】
導体線は２本以上捲回されているものが好ましい。
螺旋状に捲回されていれば、その方向はＳ／ＺでもＳ／Ｓ、Ｚ／Ｚでも良い。
好ましくは複数本の導体線がすべて同一方向に捲回されているもの。さらに好ましくは同一方向に捲回されて複数本の導体線が並列になっており、導体線と反対方向に絶縁繊維が導体の内側（芯材側）と外側（外部被覆側）を通って、導体線を拘束しているものである。このような伸縮性のコードは、伸縮させたり曲げたりしても導体線が重なり合うことが無く局部変形しにくいので断線しにくい。
【実施例】
【００２１】
以下に、本発明を実施例および比較例に基づき詳細に説明するが、本発明はこれらの実施例にのみ限定されるものではない。
【００２２】
取り出し部５０の曲げＲ（力率半径）：電子機器コード取り出し口の断面形状から求めた（一例として、図４の符号５０に取り出し部の具体例参照）。
【００２３】
伸縮性：３０ｃｍの伸縮性コードを垂直につりさげ、２０ｃｍの間に印をつけ、下端に５００ｇの荷重を取り付けた時の印間の距離（Ｘ）ｃｍを測定し、荷重取り外し後の印間距離（Ｙ）ｃｍを測定し、次式により伸長率と回復率を求めた。
５００ｇ荷重伸長率伸縮率（％）  ＝｛（Ｘ−２０）／２０）｝×１００
回復率（％）  ＝｛（Ｘ−Ｙ）／（Ｘ−２０）｝×１００
【００２４】
最外周距離（Ｌ１）：コードを巻き付け、コネクタ部又は電源コート部をコード収納部又は電源コード部に収納した状態の最外周の距離をいう。この距離は図４の符号２の領域に記されたハンチング部で示した部分を言う。その長さは、コード巻きつけ部の幅より１０〜５０％細い紙テープを巻きつけ、図４のハンチング部に相当する部分の境界を示す部分にマジックで印をつけ、これを取り出して印間の距離を求め、この印間の距離を最外周の長さＬ１とした。
【００２５】
（実施例１）
芯材を特殊製紐機（（１）芯材を供給する機構、（２）芯材を、複数のＶ溝を有する２連のロールのＶ溝に８の字掛けに沿わせて把持し伸張する、フィードする機構、（３）芯材を、複数のＶ溝を有する２連のロールのＶ溝に８の字掛けに沿わせて把持し、巻き取る機構、（４）芯材を伸張した状態で、導体線を芯材に並列に捲回する機構、および（５）芯材を伸張した状態で、導体線の捲回方向と逆方向に導体線の内側と外側を交互に通って絶縁性糸状体を捲回する機構、を備えた製紐機(１６本打ち)を使用し、直径１．７ｍｍのＥＰＤＭゴム(岡安ゴム(株)社製)を２倍伸長した状態で、塩ビ銅線ＡＷＧ２８（ＵＬ１５７１  住友電工(株)社製）をＺ方向に４本と逆方向にＥＷ１６７ｄｔを８捲回したのち、伸長状態を維持した状態で、連続して１６本製紐機を用い、ＥＷ３３０ｄｔ２本合わせの絶縁繊維をＳ方向に８本、Ｚ方向に８本配置し、外部被覆をくみ上げ伸縮性コードを得た。このコードの外径をノギスで測定したところ３．５±０．２ｍｍであった。また最大伸長率は４０％、回復率は８５％であった。
【００２６】
この伸縮性コード２０を８０ｃｍ切り出し、一例として、図１に示したＡＣアダプターケースに取り付け、たるませないように４周巻き付け、コード２０をコネクタ３０先端部で粘着テープで固定した。この状態で、幅３ｍｍ(コード巻きつけ部の幅は４ｍｍより１３％細い)の紙テープを最外周コードに沿って巻き付け、図４の符号２の領域内のハンチング部の境界を示す部分に印をつけた。この紙テープを取り外し、印間距離を測定し最外周距離（Ｌ１）を求めたところ、２０ｃｍであった。
また、コードをほどき、プラグ部根本とコード取り出し部の距離を求めたところ、７２ｃｍであった。
【００２７】
次に、伸縮性コードの先端に、ＵＳＢｍｉｃｒｏのコネクタ３０を取り付け、コネクタ根本部４１からケーブル取り出し部までの距離が６９ｃｍになるよう、６９．５ｍｍ部に熱収縮チューブを取り付け、その上から内径４ｍｍ外径４．５ｍｍの真鍮リングをかけ、圧着工具を用いてカシメ抜け防止を施した。このカシメ部の先２ｃｍのところで、コード２０を切断し、内部から導体を引出し、４芯の内２芯毎に、ＡＣアダプターの＋側とマイナス側に結線し、ＡＣアダプターケースを取り付けた。
尚、上記の６９ｃｍは、自然長７２ｃｍ(Ｌ)より３ｃｍ短くなっているが、この３ｃｍの値は以下のようにして求めた：
自然長Ｌ：コードを伸縮させずに巻きつけた時にコネクタ部又はプラグ部が、コネクタ収納部又はプラグ収納部に丁度収まる時のコード取り出し部からコネクタ部またはプラグ部の根元部（コネクタ部の根本部は図１の符号３１に、プラグ部の根本部は図２の符号４１として示した）までの長さとした時に、
Ｌ１（最外周距離）×０．０５から、Ｌ×伸縮電線の最大伸長率（％）×０．８の範囲内であることを示しており、この場合は、２０ｃｍ（Ｌ１）×０．０５＝１ｃｍ  以上であり、７２ｃｍ（Ｌ）×最大伸長率（４０（％））／１００×０．８＝２３ｃｍ以下であって、この場合には３ｃｍ短くした。
なお、ＡＣアダプター内部は、コードが斜めに取り出される形状とし、取り出し部の曲げＲは、巻きつけ側のＲを６ｍｍとし、反対側のＲは２ｍｍとした。
【００２８】
ＡＣアダプターの形状は図１〜３に示した。
図１は、スマートフォン又は携帯電話用のＡＣアダプターの例を示す図であるが、（１）はコネクタ収納部側から見たその断面図を示し、（２）はコードを伸ばした状態を示す図であり、（３）は電子機器１（この例ではＡＣアダプタ）の電源コード側から見た平面図（符号１０）を示し、（４）は電源プラグの別の取り付け位置態様を示すものである。
図２は、パーソナルコンピューター用のＡＣアダプターの例を示す図であり、（１）は電源プラグ収納部とコネクタ収納部側から見たその断面図を示し、（２）は両方のコードを伸ばした状態を示す図である。
図３は、スティックタイプのＡＣアダプターの例を示す図であり、（１）はコネクタ収納部側から見たその断面図を示し、（２）はコードを伸ばした状態にある電源コード側から見た平面図を示す図である。
ＡＣアダプターの１次側は、１００Ｖコンセントとつなぐコードが接続できるメス側端子を取り付けた形状とした。
【００２９】
比較例：市販ケーブル（ＡＷＧ２５−２Ｃ）（幅４ｍｍ  厚み２．５ｍｍ）を用い、１１０ｃｍのコードを実施例１と同じようにして、ケーブル取り出し部とコネクタ位置のブーツ根元部３１までの距離を測定し、ＵＳＢｍｉｃｒｏ（３０）のコネクタを取り付けたのち、コネクタ根本部（３１）からコード取り出し部の距離が１０７ｃｍになるようにして、ＡＣアダプターに取り付けた。
尚、コードの長さは、市販コードは伸びないので、伸縮性コードのより１．３〜１．４倍長くなるようにした。
【００３０】
できあがったＡＣアダプターのコードを巻きつけたところ、実施例１では、簡単に、きれいにまきつけることができ、ＵＳＢｍｉｃｒｏのコネクタを、コネクタ収納部へはめることができた。
一方比較例は、１回目は、コネクタ収納部に届かず、何度か巻き直してやっとコネクタ収納部にセットすることができた。
【００３１】
できあがったＡＣアダプターのコード取り出し部の断線寿命を巻きつけ方向に１２０°、解く方向に６０°の角度で１回/１秒の速さで、左右屈曲試験を行ったところ
実施例は共に１０万回を経過しても断線しなかったが比較例は１万回未満で断線した。
【００３２】
このように、本発明は、断線しにくく、コードの収納スペースが小さく、簡単に収納できるコード付電子機器（一例としてＡＣアダプター）を実現していることがわかる。
【産業上の利用可能性】
【００３３】
本発明は、ＡＣアダプタ、マウス、外付けＤＶＤプレーヤ等パソコンやスマホ周辺機器から、イヤフォン、ヘッドマウンントデスプレイ、インカム、等の通信や音響機器、さらには、へアドライヤーなどの家電や、電動工具等を、断線しにくく、コード収納容積が小さく、コードの収納が簡単な電機製品の提供を可能とするものである。
【符号の説明】
【００３４】
１    電子機器
２    コードを収納するための凹部
３    側面に近い方の面からの距離
１０    電子機器の電源プラグ収納部が設けられた面
２０    コード
３０    コネクタ
３１    コネクタ収納部
３２    コネクタ根本部
４０    電源プラグ
４１    電源プラグ根本部
５０    コード取り出し部
【図１】
2018061092.tif 000003
【図２】
2018061092.tif 000004
【図３】
2018061092.tif 000005
【図４】
2018061092.tif 000006